(57)【要約】【課題】少なくとも２種類の厚さの壁に形成された通気口の何れにもガタツキなく取り付けることが可能なカバーを提供する。【解決手段】カバー２は、壁１０Ａに形成された通気口１１に取り付けられるカバー本体２１と、当該カバー本体２１に設けられた係合部２２と、を備える。係合部２２は、通気口１１へのカバー本体２１の取付け時に当該通気口１１の周囲の壁１０Ａに係合する。具体的には、係合部２２は、当接部２２２と、第１爪部２２３Ａと、第２爪部２２３Ｂと、を有する。当接部２２２は、通気口１１の周囲の壁１０Ａに外側から当接する。第１爪部２２３Ａ及び第２爪部２２３Ｂは、壁１０Ａの厚さに応じて選択的に用いられ、通気口１１の周囲の壁１０Ａを当接部２２２との間に内側から挟む。そして、当接部２２２と第１爪部２２３Ａとの間の距離と、当接部２２２と第２爪部２２３Ｂとの間の距離と、が互いに異なっている。【選択図】図７
2019061998.tif 000002
【特許請求の範囲】
【請求項１】
壁に形成された通気口に取り付けられるカバー本体と、
前記カバー本体に設けられており、前記通気口への前記カバー本体の取付け時に当該通気口の周囲の前記壁に係合する係合部と、
を備え、
前記係合部は、
前記通気口の周囲の前記壁に外側から当接する当接部と、
前記壁の厚さに応じて選択的に用いられ、前記通気口の周囲の前記壁を前記当接部との間に内側から挟む第１爪部及び第２爪部と、
を有し、
前記第１爪部と前記当接部との間の距離と、前記第２爪部と前記当接部との間の距離と、が互いに異なる、カバー。
【請求項２】
前記第１爪部の上端面と第２爪部の上端面とが、同一平面で揃うと共に、側面視において繋がっている、請求項１に記載のカバー。
【請求項３】
前記第２爪部は、前記第１爪部の両側に１つずつ設けられており、前記第２爪部の後端面が、前記第１爪部の後端面より後方に配され、前記第２爪部の前記後端面には傾斜が設けられている、請求項１又は２に記載のカバー。
【請求項４】
前記カバー本体の互いに反対側に位置する２つの縁部に、前記係合部が少なくとも１つずつ設けられている、請求項１〜３の何れかに記載のカバー。
【請求項５】
通気口が形成された壁を有する筐体と、
前記通気口に取り付けられる、請求項１〜４の何れかに記載のカバーと、
を備える、電気機器。
【請求項６】
前記通気口の周囲の前記壁には、前記第１爪部及び前記第２爪部の何れか一方と対峙する箇所に切欠が設けられている、請求項５に記載の電気機器。
【請求項７】
前記カバーは、前記カバー本体の周面に設けられた突起部を更に備え、
前記通気口の周囲の前記壁には、前記通気口への前記カバー本体の取付け時に前記突起部を通す通過部が設けられている、請求項５又は６に記載の電気機器。
【発明の詳細な説明】
【技術分野】
【０００１】
本発明は、通気口にカバーを取り付ける技術に関する。
【背景技術】
【０００２】
電気機器には、例えば筐体内に格納された各種電子部品を冷却するために、筐体の壁に通気口が形成されたものが多く存在する。この様な通気口には、水や埃等の異物が筐体内に簡単に入り込んでしまうことを防止するべく、ルーバー等のカバーが取り付けられる。
【０００３】
カバーには、通気口の周囲の壁に外側から当接する周縁部と、当該壁の内側から当接部に対峙する爪部と、を有したものが存在する（例えば、特許文献１参照）。そして、周縁部と爪部との間の距離が壁の厚さに等しく、通気口へのカバーの取付け状態において壁がカバーの周縁部と爪部との間に挟まれる様に、周縁部に対する爪部の位置が設定されている。よって、通気口にカバーを取り付けたとき、周縁部と爪部との間に壁が隙間なく介在し、その結果として、カバーがガタツキなく取り付けられる。
【先行技術文献】
【特許文献】
【０００４】
【特許文献１】特開２００６−９７９４５号公報
【発明の概要】
【発明が解決しようとする課題】
【０００５】
しかしながら、従来の上記カバーは、周縁部と爪部との間の距離が、通気口の周囲の壁の厚さによって規定されるため、その距離よりも厚さが大きい壁に形成された通気口には取り付けることができなかった。このため、壁の厚さが変わる毎に、周縁部と爪部との間の距離を変更する必要があり、従って、カバー自体を作り直す必要があった。
【０００６】
そこで本発明の目的は、少なくとも２種類の厚さの壁に形成された通気口の何れにもガタツキなく取り付けることが可能なカバーを提供することである。
【課題を解決するための手段】
【０００７】
本発明に係るカバーは、壁に形成された通気口に取り付けられるカバー本体と、当該カバー本体に設けられた係合部と、を備える。係合部は、通気口へのカバー本体の取付け時に当該通気口の周囲の壁に係合する。具体的には、係合部は、当接部と、第１爪部と、第２爪部と、を有する。当接部は、通気口の周囲の壁に外側から当接する。第１爪部及び第２爪部は、壁の厚さに応じて選択的に用いられ、通気口の周囲の壁を当接部との間に内側から挟む。そして、当接部と第１爪部との間の距離と、当接部と第２爪部との間の距離と、が互いに異なっている。
【０００８】
上記カバーによれば、通気口の周囲の壁の厚さに応じて、第１爪部と当接部との間に壁を介在させるか、又は、第２爪部と当接部との間に壁を介在させるか、を選択することができる。よって、第１爪部と当接部との間の距離及び第２爪部と当接部との間の距離を、壁の２種類の厚さにそれぞれ対応させることにより、当該２種類の厚さの壁に形成された通気口の何れに対しても、カバーをガタツキなく取り付けることが可能になる。
【発明の効果】
【０００９】
本発明に係るカバーによれば、少なくとも２種類の厚さの壁に形成された通気口の何れにも、ガタツキなく取り付けることが可能になる。
【図面の簡単な説明】
【００１０】
【図１】実施形態に係る電気機器を正面視した概念図である。
【図２】カバーを示した（Ａ）正面図、（Ｂ）上面図、及び（Ｃ）下面図である。
【図３】カバーを示した背面図である。
【図４】（Ａ）図２（Ｂ）に示されたIVA領域の拡大図、及び（Ｂ）図３に示されたIVB領域の拡大図である。
【図５】（Ａ）図２（Ａ）に示されたVA−VA線での断面図、及び（Ｂ）図５（Ａ）に示されたVB領域の拡大図である。
【図６】カバーの上部を示した斜視図である。
【図７】（Ａ）（Ｂ）異なる２種類の厚さの壁に形成された通気口へのカバーの取付け状態をそれぞれ示した斜視図である。
【発明を実施するための形態】
【００１１】
図１は、実施形態に係る電気機器を正面視した概念図である。図１に示される様に、電気機器は、通気口１１が設けられた筐体１と、通気口１１に取り付けられるカバー２と、を備える。一例として、電気機器は、メッキ処理装置等に用いられる電源装置であり、筐体１の内部に電源回路（不図示）が構築されている。電源回路は、平滑回路やコンバータ回路等、冷却を要する電子部品（スイッチング素子等）が組み込まれた回路を含んでいる。尚、以下に説明する電気機器の各部構成は、電源装置に限らず、通気口１１を有する様々な電気機器に適用することができる。
【００１２】
筐体１は、箱型を呈した外壁の一部に、通気口１１が形成された壁１０Ａを有する。本実施形態では、壁１０Ａは前壁であり、通気口１１は、筐体１内に格納された各種電子部品を冷却するための冷却風を通す部分である。尚、通気口１１の用途は、電子部品等の冷却に限らず、筐体１の内部と外部とを連通させることを要する様々な用途に適宜変更することができる。又、通気口１１が形成される壁１０Ａは、前壁に限らず、用途等に応じて別の壁（後壁、側壁、天壁、底壁等）に適宜変更することができる。
【００１３】
通気口１１は、後述するカバー２の枠部２１１を挿入することが可能な形状を呈している。本実施形態では、通気口１１は、枠部２１１の形状に対応させて、四角形状に形成されている。又、後述する通過部１２及び切欠１３を除いて、左右対称且つ上下対称（或いは、１８０°回転対称）に形成されている。尚、通過部１２及び切欠１３（図１に示されたIA領域及びIB領域の拡大図参照）については、後述する。
【００１４】
図２（Ａ）〜（Ｃ）及び図３はそれぞれ、カバー２を示した正面図、上面図、下面図、及び背面図である。図４（Ａ）は、図２（Ｂ）に示されたIVA領域の拡大図であり、図４（Ｂ）は、図３に示されたIVB領域の拡大図である。図５（Ａ）は、図２（Ａ）に示されたVA−VA線での断面図であり、図５（Ｂ）は、図５（Ａ）に示されたVB領域の拡大図である。図６は、カバー２の上部を示した斜視図である。これらの図に示される様に、カバー２は、カバー本体２１と、係合部２２と、を備える。
【００１５】
図３に示される様に、カバー本体２１は、通気口１１に挿入される枠部２１１と、当該枠部２１１の外周に形成された鍔部２１２と、枠部２１１で囲まれた領域内に並んだ複数の羽板２１３と、梁部２１４と、から構成されている。
【００１６】
枠部２１１は、上縁部２１Ａと、下縁部２１Ｂと、左右の側縁部２１Ｃと、から構成されている。そして、上縁部２１Ａには、凹部２１Ｄが左右に１つずつ設けられ、下縁部２１Ｂにも、凹部２１Ｄが左右に１つずつ設けられている（図３参照）。具体的には、凹部２１Ｄは以下の様に構成されている。尚、本実施形態では、枠部２１１は、後述する突起部２３（図４（Ｂ）参照）を除いて、上下対称且つ左右対称（或いは、１８０°回転対称）に形成されている。
【００１７】
先ず、上縁部２１Ａと、当該上縁部２１Ａに最も近い羽板２１３と、の間に、当該上縁部２１Ａと略並行に梁部２１４が設けられている（図３参照）。具体的には、梁部２１４は、左右の側縁部２１Ｃ間を横方向に延びると共に、上縁部２１Ａの直下に配されている。より具体的に、上縁部２１Ａと梁部２１４とは、それらの左右両端部どうしが、左右の側縁部２１Ｃを介して互いに連結されている。同様に、下縁部２１Ｂと、当該下縁部２１Ｂに最も近い羽板２１３と、の間にも、梁部２１４が設けられている。
【００１８】
そして、上縁部２１Ａに設けられた各凹部２１Ｄは、当該上縁部２１Ａの一部を切り欠くことにより、直下に配された梁部２１４の上面２１４ａの一部を露出させることで形成されている（図４（Ｂ）及び図６参照）。下縁部２１Ｂに設けられた各凹部２１Ｄも、同様に形成されている。
【００１９】
鍔部２１２は、通気口１１に枠部２１１が挿入されたときに、当該通気口１１から僅かにはみ出して周囲の壁１０Ａに前方外側から当接する様に形成されている。又、鍔部２１２は、後述する通過部１２及び突起部２３を覆い隠す様に形成されている（図７（Ａ）及び（Ｂ）参照）。
【００２０】
本実施形態では、通気口１１へのカバー２の取付け時に、枠部２１１が通気口１１に挿入されることにより、カバー２は、上下左右の方向についての位置が決められる。又、通気口１１の周囲の壁１０Ａに対して外側から鍔部２１２が当接することにより、カバー２は、通気口１１への取付方向（通気口１１を通じて外側から内側へ向かう奥行方向）についての位置が決められる。この様な位置決め部としての鍔部２１２の機能は、後述する係合部２２の当接部２２２が持つ機能と同じである。よって、特許請求の範囲に記載の「当接部」には、後述する当接部２２２に限らず、鍔部２１２が含まれてもよい。
【００２１】
複数の羽板２１３は、枠部２１１で囲まれた領域において、枠部２１１の左右の側縁部２１Ｃ間を横方向に延びている。又、複数の羽板２１３は、カバー２が通気口１１に取り付けられたときに、羽板２１３のそれぞれの向き（具体的には、空気を通過させる向き）が、通気口１１が形成されている壁１０Ａに垂直な方向に対して同じ角度で傾く様に、羽板２１３は並べられている。
【００２２】
通気口１１への取付け状態の一例として、カバー２は、上述した羽板２１３のそれぞれの向きが壁１０Ａの内側から外側に向けて斜め下方となる様に通気口１１に取り付けられる（図５（Ａ）参照）。この様に取り付けられたカバー２によれば、当該カバー２に水が降りかかった場合でも、羽板２１３に付着した水は、自身の重力で羽板２１３から筐体１の外側へ滑り落ち、その結果として、通気口１１からの水の浸入が防止される。この様に、カバー２は、通気口１１への取付けに関する方向性を有する。
【００２３】
このため、例えば上下を逆にしてカバー２が通気口１１に取り付けられたとすれば、カバー２が有する機能（本実施形態では、通気口１１からの水の浸入を防止する機能）が低下する。そこで、本実施形態の電気機器には、カバー２の向きを正しく規制するための規制構造が設けられている。
【００２４】
具体的には、図４（Ａ）、図４（Ｂ）、及び図６に示される様に、カバー２は、枠部２１１の外周面（特許請求の範囲に記載の「カバー本体の周面」に相当）に設けられた突起部２３を更に備える。更に、通気口１１の周囲の壁１０Ａに、通気口１１へのカバー２の取付け時に突起部２３を通す通過部１２が設けられている（図１に示されたIA領域の拡大図参照）。そして、通過部１２は、カバー２が正しい向きで通気口１１に取り付けられたときにのみ突起部２３が通過する様に配されている。本実施形態では、突起部２３は、枠部２１１の上縁部２１Ａの上面中央位置に配されている。又、通過部１２は、突起部２３の位置に対応させて、通気口１１の周囲の壁１０Ａの上辺中央位置に設けられている。
【００２５】
一例として、本実施形態では、通過部１２及び突起部２３は、カバー２の鍔部２１２によって覆い隠される様に構成される。これにより、通気口１１へのカバー２の取付け状態において、通過部１２及び突起部２３が外部から見えなくなり、電気機器の外観の美しさが損なわれない。他の例として、通過部１２及び突起部２３は、通気口１１へのカバー２の取付け状態において鍔部２１２からはみ出る様に構成されてもよい。これにより、ユーザは、カバー２が正しい向きで取り付けられていることを、外観から確認することが可能になる。
【００２６】
係合部２２は、カバー本体２１に設けられており（図３参照）、通気口１１へのカバー２の取付け時に当該通気口１１の周囲の壁１０Ａに係合する（図７（Ａ）及び（Ｂ）参照）。本実施形態では、係合部２２は、カバー本体２１の枠部２１１の上縁部２１Ａにおいて左右に１つずつ設けられ、更に、カバー本体２１の枠部２１１の下縁部２１Ｂにも左右に１つずつ設けられている（図３参照）。具体的には、上縁部２１Ａ及び下縁部２１Ｂに設けられた各凹部２１Ｄ内に、係合部２２が設けられている。即ち、係合部２２は、カバー本体２１において互いに反対側に位置する２つの縁部（ここでは、上縁部２１Ａと下縁部２１Ｂ）のそれぞれに設けられている。
【００２７】
尚、枠部２１１の各縁部に設けられる係合部２２の数は、２つに限らず、１つであってもよいし、３つ以上であってもよい。又、異なる縁部のそれぞれに設けられる係合部２２の数は、同じである場合に限らず、互いに異なっていてもよい。更に、カバー本体２１において係合部２２が設けられる縁部の組合せは、上縁部２１Ａ及び下縁部２１Ｂという組合せに限らず、左右の側縁部２１Ｃという組合せであってもよい。尚、係合部２２が設けられる縁部の組合せは、対向した縁部という組合せであることが好ましい。
【００２８】
以下、正面から見て右上の係合部２２（上縁部２１Ａの右側に設けられた係合部２２）について、図４（Ａ）、図４（Ｂ）、及び図５（Ｂ）を用いて、具体的に説明する。尚、他の係合部２２については、右上の係合部２２と構成が同じであるので、説明を省略する。
【００２９】
具体的には、係合部２２は、凹部２１Ｄから露出した梁部２１４の上面２１４ａから上方背面側へ立ち上がり、正面側へ折り返される様に湾曲して延びた撓曲部２２１を有する。更に、係合部２２は、当接部２２２と、第１爪部２２３Ａと、第２爪部２２３Ｂと、を有し、これらが撓曲部２２１に設けられている。撓曲部２２１（図５（Ｂ）参照）は、当接部２２２が設けられた先端部２２１ａと、湾曲部２２１ｂと、中間部２２１ｃと、を含む。湾曲部２２１ｂは、通気口１１へのカバー２の取付け状態において、梁部２１４の上面２１４ａから奥行方向へ向けて斜め上方へ延び出ると共に先端部２２１ａへ（即ち、前方へ）向けて湾曲した部分である。中間部２２１ｃは、先端部２２１ａと湾曲部２２１ｂとを繋ぐ部分である。
【００３０】
撓曲部２２１は、凹部２１Ｄによって上縁部２１Ａから切り離された状態で、梁部２１４に保持されている（図４（Ｂ）参照）。従って、撓曲部２２１は、上縁部２１Ａからの束縛を受けずに、先端部２２１ａ又は中間部２２１ｃの上下動に応じて凹部２１Ｄ内で撓曲することが可能である。よって、先端部２２１ａ又は中間部２２１ｃが上方から押圧されたとき、撓曲部２２１が撓むことで、先端部２２１ａ及び中間部２２１ｃが梁部２１４側へ移動することが許容される。一方、先端部２２１ａ又は中間部２２１ｃが押圧から解放されたとき、撓曲部２２１の撓曲が解除され、先端部２２１ａ及び中間部２２１ｃは元の位置に戻る。
【００３１】
そして、中間部２２１ｃに、第１爪部２２３Ａ及び第２爪部２２３Ｂが設けられている。又、当接部２２２、第１爪部２２３Ａ、及び第２爪部２２３Ｂは何れも、枠部２１１の外周の位置（ここでは、上縁部２１Ａの高さ位置）から突き出ている（図５（Ｂ）参照）。即ち、当接部２２２、第１爪部２２３Ａ、及び第２爪部２２３Ｂは何れも、それらの高さが、通気口１１へのカバー２の取付け状態において通気口１１の周縁から壁１０Ａ側へはみ出る様に設定されている。即ち、カバー２の取付け状態において、当接部２２２が、壁１０Ａに対して外側から当接し、第１爪部２２３Ａ及び第２爪部２２３Ｂの何れかが、壁１０Ａに対して内側から当接することができる。
【００３２】
従って、通気口１１にカバー２を取り付けるとき、当該通気口１１からはみ出た第１爪部２２３Ａ又は第２爪部２２３Ｂが、通気口１１の周囲の壁１０Ａによって下方へ押される。そして、このとき撓曲部２２１が撓むことで、先端部２２１ａ及び中間部２２１ｃが梁部２１４側へ移動すると共に、第１爪部２２３Ａ及び第２爪部２２３Ｂが、通気口１１を通過することができる位置まで移動する。その結果として、通気口１１への取付けが完了する位置（即ち、壁１０Ａに係合部２２が係合する位置）までカバー２を挿入することが可能になる。
【００３３】
通気口１１にカバー２が取り付けられたとき（即ち、取付け状態において）、当接部２２２は、通気口１１の周囲の壁１０Ａに外側から当接する（図７（Ａ）及び（Ｂ）参照）。又、第１爪部２２３Ａ及び第２爪部２２３Ｂは、壁１０Ａの厚さに応じて選択的に用いられ（図７（Ａ）及び（Ｂ）参照）、通気口１１の周囲の壁１０Ａを当接部２２２との間に内側から挟む。これにより、第１爪部２２３Ａ及び第２爪部２２３Ｂのうちの選択されたものと当接部２２２との間に通気口１１の周囲の壁１０Ａが介在し、その結果として、通気口１１の周囲の壁１０Ａに係合部２２が係合する。
【００３４】
本実施形態では、第１爪部２２３Ａは、当接部２２２から後方へ距離Ｌ１（図４（Ａ）参照）だけ離れた位置に配されている。第２爪部２２３Ｂは、第１爪部２２３Ａの両側に１つずつ設けられており、何れも、当接部２２２から後方へ、距離Ｌ１より大きい距離Ｌ２（図４（Ａ）参照）だけ離れた位置に配されている。即ち、取付方向において、第２爪部２２３Ｂと当接部２２２との間の距離Ｌ２が、第１爪部２２３Ａと当接部２２２との間の距離Ｌ１より大きい。
【００３５】
具体的には、第１爪部２２３Ａの前端面及び第２爪部２２３Ｂの前端面には、前方斜め下方に傾斜したガイド面Ｇａ及びＧｂ（図５（Ｂ）参照。中間部２２１ｃの表面に対して垂直な面を含む）がそれぞれ形成されている。ガイド面Ｇａの前端には、当接部２２２から距離Ｌ１だけ離れた位置でほぼ垂直に降下した面が形成されており、当該面と当接部２２２の背面との間に凹状の第１係合位置Ｈａが形成されている。又、ガイド面Ｇｂの前端には、当接部２２２から距離Ｌ２（＞Ｌ１）だけ離れた位置でほぼ垂直に降下した面が形成されており、当該面と当接部２２２の背面との間に凹状の第２係合位置Ｈｂが形成されている。
【００３６】
距離Ｌ１及びＬ２（Ｌ１＜Ｌ２）は、通気口１１が形成された壁１０Ａにおいて想定し得る２つの厚さＤ１及びＤ２（Ｄ１＜Ｄ２）にそれぞれ対応している。ここで、「対応」という用語には、次の様な取付け状態を得ることができる距離Ｌ１と厚さＤ１との関係が少なくとも含まれる。即ち、その関係によれば、厚さＤ１の壁１０Ａに形成された通気口１１にカバー２が取り付けられることで、通気口１１の周囲の壁１０Ａが、距離Ｌ１だけ離れた当接部２２２と第１爪部２２３Ａとの間に介在したときに、取付方向においてカバー２にガタツキが生じない、又は、ガタツキがあったとしても許容できる範囲内となる。距離Ｌ２と厚さＤ２との関係についても同様である。
【００３７】
一例として、厚さＤ１は１ｍｍであり、これに対応させて距離Ｌ１が１．１ｍｍに設定される。又、厚さＤ２は１．６ｍｍであり、これに対応させて距離Ｌ２が１．７ｍｍに設定される。尚、厚さＤ１及びＤ２の寸法は、電気機器の種類等に応じて適宜変更することができる。又、距離Ｌ１及びＬ２の寸法は、ガタツキの許容範囲等に応じて適宜変更することができる。
【００３８】
通気口１１の周囲の壁１０Ａが厚さＤ１（＜厚さＤ２）の壁（例えば、薄板）である場合、当該壁１０Ａは、距離Ｌ１だけ離れた第１爪部２２３Ａ（ガイド面Ｇａ）と当接部２２２との間に形成された第１係合位置Ｈａ（図５（Ｂ）参照）に配置され、これにより、当該第１係合位置Ｈａにて厚さＤ１の壁１０Ａに係合部２２が係合する（図７（Ａ）参照）。尚、図７（Ａ）は、厚さＤ１の壁１０Ａに形成された通気口１１へのカバー２の取付け状態を示した斜視図である。
【００３９】
一方、通気口１１の周囲の壁１０Ａが厚さＤ２の壁（例えば、厚板）である場合、当該壁１０Ａは、第１爪部２２３Ａと当接部２２２との間には収まらないため、距離Ｌ２だけ離れた第２爪部２２３Ｂ（ガイド面Ｇｂ）と当接部２２２との間に形成された第２係合位置Ｈｂ（図５（Ｂ）参照）に配置されるが、第２爪部２２３Ｂと当接部２２２との間に存在する第１爪部２２３Ａ（図５（Ｂ）参照。ガイド面Ｇａを含む）に壁１０Ａが衝突してしまうため、その衝突を回避するための切欠１３が壁１０Ａの上辺及び下辺に設けられている（図１に示されたIB領域の拡大図参照）。即ち、厚さＤ２の壁１０Ａには、第１爪部２２３Ａと対峙する箇所に切欠１３が設けられており、当該切欠１３は、厚さＤ２の壁１０Ａとの衝突から第１爪部２２３Ａを逃がす逃し穴として用いられる。これにより、第２係合位置Ｈｂにて厚さＤ２の壁１０Ａに係合部２２が係合する（図７（Ｂ）参照）。尚、図７（Ｂ）は、厚さＤ２の壁１０Ａに形成された通気口１１へのカバー２の取付け状態を示した斜視図である。
【００４０】
次に、通気口１１にカバー２を取り付ける過程について、具体的に説明する。先ず、通過部１２と突起部２３とを目印として、カバー２の姿勢を、通過部１２に突起部２３を通すことができる正しい向き（本実施形態では上側に突起部２３が位置する向き）となる様に調整する。その後、その正しい向きを維持しつつカバー２を前傾にして、枠部２１１の下縁部２１Ｂに設けられた下側左右の係合部２２を壁１０Ａの下辺に係合させる。このとき、下側左右の各係合部２２に対して、壁１０Ａの下辺が、当該壁１０Ａの厚さに応じて選択される第１爪部２２３Ａ又は第２爪部２２３Ｂと当接部２２２との間に挟まれる様にして押し当てられる。
【００４１】
このとき、カバー２が上下逆向きの誤った向きで通気口１１に取り付けられそうになった場合、突起部２３が下側に位置し、従って、壁１０Ａの下辺に突起部２３が当接することになる。従って、カバー２の位置が、突起部２３の高さ分だけ通気口１１から上へずれる。そして、カバー２が、上へずれた状態で通気口１１に無理に押し込まれそうになると、誤って上に向けられた枠部２１１の下縁部２１Ｂの後端が壁１０Ａの上辺に衝突し、通気口１１への枠部２１１の挿入が阻止される。従って、カバー２が誤った向きのまま通気口１１に取り付けられることが防止される。
【００４２】
又、突起部２３及び通過部１２がそれぞれカバー２及び通気口１１の上側に設けられることにより、通気口１１へのカバー２の取付け時において、ユーザは、突起部２３及び通過部１２を視認し易くなり、その結果として、通気口１１にカバー２を正しい向きで取り付けることが容易になる。尚、突起部２３及び通過部１２のそれぞれの位置は、カバー２及び通気口１１の上側に限らず、適宜、変更することができる。
【００４３】
上述した様にカバー２を正しい向きに調整し、下側の係合部２２を壁１０Ａの下辺に係合させた後、その係合位置を支点として、カバー２の上部を、通気口１１に押し込む方向に回転させる。そして、この回転により、壁１０Ａの上辺に設けられている通過部１２に突起部２３を通しつつ、通気口１１への枠部２１１の挿入を開始する（図７（Ａ）及び（Ｂ）参照）。
【００４４】
その後、カバー２を回転させつつ通気口１１へ押し込むことにより、上側左右の各係合部２２について、第１爪部２２３Ａ又は第２爪部２２３Ｂを通気口１１の周囲の壁１０Ａの上辺に当接させる。本実施形態では、第２爪部２２３Ｂの後端面Ｅｂが、第１爪部２２３Ａの後端面Ｅａより後方に配されている（図５（Ｂ）参照）。又、第２爪部２２３Ｂの後端面Ｅｂには、後ろから前方に向けて緩やかに昇る傾斜が設けられている。更に、第１爪部２２３Ａの上端面Ｆａと第２爪部２２３Ｂの上端面Ｆｂとが、同一平面で揃うと共に、側面視において繋がっている（図５（Ｂ）参照）。尚、上端面Ｆａ及びＦｂは、側面視において部分的に重なっていてもよい。
【００４５】
よって、通気口１１に枠部２１１を挿入する過程で、先ず、第２爪部２２３Ｂの後端面Ｅｂに通気口１１の周囲の壁１０Ａの上辺が斜めに当接する。当接後、カバー２が更に押し込まれることにより、撓曲部２２１が撓んで第２爪部２２３Ｂが梁部２１４側へ移動し始める。そして、壁１０Ａは、係合部２２における撓曲部２２１の撓曲（即ち、梁部２１４側への第２爪部２２３Ｂの移動）を伴いながら、第２爪部２２３Ｂの後端面Ｅｂに沿って相対的に摺動し、その後、第２爪部２２３Ｂの上端面Ｆｂ上へ移動する。
【００４６】
壁１０Ａが厚さＤ１（＜厚さＤ２）の壁である場合には、切欠１３が設けられていないため、カバー２が更に押し込まれることにより、壁１０Ａは、第２爪部２２３Ｂの上端面Ｆｂ上を相対的に摺動した後、第１爪部２２３Ａの上端面Ｆａ上へ移動する（図５（Ｂ）参照）。そして、カバー２が更に押し込まれて、壁１０Ａが第１爪部２２３Ａのガイド面Ｇａに達したとき、上述した様に当該ガイド面Ｇａは前方斜め下方に傾斜しているため、撓曲部２２１は、自身の復元力で元の位置に戻ろうとして上方へ移動し、これに伴い、撓曲部２２１に対して相対移動する壁１０Ａは、ガイド面Ｇａに沿って降りる方向へ誘導される。その後、壁１０Ａがガイド面Ｇａの前端に達することにより、撓曲部２２１は僅かに撓曲した状態まで復元し、その結果として、当接部２２２と第１爪部２２３Ａとの間に形成された第１係合位置Ｈａで、厚さＤ１の壁１０Ａと係合部２２とが係合する。
【００４７】
そして、第１係合位置Ｈａで壁１０Ａと係合部２２とが係合したとき、撓曲部２２１が僅かに撓曲した状態で維持されるため、壁１０Ａの上辺が第１係合位置Ｈａにしっかり嵌まる。従って、当接部２２２が壁１０Ａに外側から当接すると共に、壁１０Ａが、当接部２２２と第１爪部２２３Ａとの間に挟まれる（図７（Ａ）参照）。この様にして、係合部２２は、上述した第１係合位置Ｈａにて厚さＤ１の壁１０Ａに係合する。尚、当接部２２２に代えて、或いは、当接部２２２と共に、鍔部２１２が壁１０Ａに外側から当接してもよい。
【００４８】
一方、壁１０Ａが厚さＤ２の壁である場合には、切欠１３が設けられているため、壁１０Ａは第１爪部２２３Ａに衝突しない。従って、カバー２が押し込まれることにより、壁１０Ａは、第２爪部２２３Ｂの上端面Ｆｂ上を相対的に摺動した後、第１爪部２２３Ａの上端面Ｆａ上へは移動せずに第２爪部２２３Ｂのガイド面Ｇｂに達する（図５（Ｂ）参照）。上述した様にガイド面Ｇｂも前方斜め下方に傾斜しているため、壁１０Ａがガイド面Ｇｂに達したとき、撓曲部２２１は、自身の復元力で元の位置に戻ろうとして上方へ移動し、これに伴い、撓曲部２２１に対して相対移動する壁１０Ａは、ガイド面Ｇｂに沿って降りる方向へ誘導される。その後、壁１０Ａがガイド面Ｇｂの前端に達することにより、撓曲部２２１は僅かに撓曲した状態まで復元し、その結果として、当接部２２２と第２爪部２２３Ｂとの間に形成された第２係合位置Ｈｂで、厚さＤ２の壁１０Ａと係合部２２とが係合する。
【００４９】
そして、第２係合位置Ｈｂで壁１０Ａと係合部２２とが係合したとき、撓曲部２２１が僅かに撓曲した状態で維持されるため、当接部２２２が壁１０Ａに外側から当接すると共に、壁１０Ａが、当接部２２２と第２爪部２２３Ｂとの間に挟まれる（図７（Ｂ）参照）。この様にして、係合部２２は、上述した第２係合位置Ｈｂにて厚さＤ２の壁１０Ａに係合する。尚、この場合も、当接部２２２に代えて、或いは、当接部２２２と共に、鍔部２１２が壁１０Ａに外側から当接してもよい。
【００５０】
この様に、上記電気機器は、上述した第１爪部２２３Ａ及び第２爪部２２３Ｂを備えているため、壁１０Ａの厚さに応じて、距離Ｌ１だけ離れた当接部２２２と第１爪部２２３Ａとの間（第１係合位置Ｈａ）に壁１０Ａを介在させるか、又は、距離Ｌ２だけ離れた当接部２２２と第２爪部２２３Ｂとの間（第２係合位置Ｈｂ）に壁１０Ａを介在させるか、を選択することができる。そして、本実施形態では、距離Ｌ１及びＬ２を、壁１０Ａの２種類の厚さＤ１及びＤ２にそれぞれ対応させている。よって、当該２種類の厚さの壁１０Ａに形成された通気口１１の何れに対しても、カバー２をガタツキなく取り付けることができる。
【００５１】
通気口１１からカバー２を取り外す場合、カバー２に設けられている上側左右の各係合部２２の当接部２２２を下方へ移動させて撓曲部２２１を撓曲させることにより、壁１０Ａの上辺への上側の係合部２２の係合を解除する。そして、上側左右の係合部２２の係合を解除した状態で、下側左右の係合部２２の係合位置を支点として、カバー２の上部を、通気口１１から引き離す方向に回転させる。そして、この回転よってカバー２を通気口１１から引き抜くことにより、通気口１１からカバー２を取り外すことができる。この様に、当接部２２２は、撓曲部２２１を撓曲させるための操作部としての機能を兼ね備える。
【００５２】
上述の実施形態の説明は、すべての点で例示であって、制限的なものではないと考えられるべきである。本発明の範囲は、上述の実施形態ではなく、特許請求の範囲によって示される。更に、本発明の範囲には、特許請求の範囲と均等の意味及び範囲内での全ての変更が含まれることが意図される。例えば、上記電気機器は、通過部１２及び突起部２３がない構成を有していてもよい。
【符号の説明】
【００５３】
１  筐体
２  カバー
１０Ａ  壁
１１  通気口
１２  通過部
１３  切欠
２１  カバー本体
２１Ａ  上縁部
２１Ｂ  下縁部
２１Ｃ  側縁部
２１Ｄ  凹部
２２  係合部
２３  突起部
２１１  枠部
２１２  鍔部
２１３  羽板
２１４  梁部
２１４ａ  上面
２２１  撓曲部
２２１ａ  先端部
２２１ｂ  湾曲部
２２１ｃ  中間部
２２２  当接部
２２３Ａ  第１爪部
２２３Ｂ  第２爪部
Ｄ１、Ｄ２  厚さ
Ｅａ、Ｅｂ  後端面
Ｆａ、Ｆｂ  上端面
Ｇａ、Ｇｂ  ガイド面
Ｈａ  第１係合位置
Ｈｂ  第２係合位置
Ｌ１、Ｌ２  距離
【図１】
2019061998.tif 000003
【図２】
2019061998.tif 000004
【図３】
2019061998.tif 000005
【図４】
2019061998.tif 000006
【図５】
2019061998.tif 000007
【図６】
2019061998.tif 000008
【図７】
2019061998.tif 000009